(57)【特許請求の範囲】
【請求項１】
連壁掘削機により安定液を注入しながら地盤を一方から他方に掘削して溝を形成し、上記溝内に高比重泥土を形成する工程と、
仕切兼押出装置によって上記溝内の上記高比重泥土を一方から他方に向って押し出しながら上記溝を上流側と下流側に仕切る工程と、
上記高比重泥土が押し出され仕切られた後の上記上流側の溝内に低比重安定液を供給する工程と、
上記高比重泥土が押し出し仕切られた後の上記上流側の溝の両端面を仕切板によって仕切り、上記上流側の両側壁に溝壁防護板を配設する工程と、
上記低比重安定液を供給した掘削溝部分にコンクリートを打設する工程と、
上記下流側の溝に向って上記溝壁防護板を上記溝壁防護板の長さの範囲で移動せしめる工程と
より成ることを特徴とする地下連続壁築造方法。
【請求項２】
連壁掘削機により安定液を注入しながら地盤を一方から他方に掘削して溝を形成し、上記溝内に高比重泥土を形成する工程と、
仕切兼泥土排出装置によって上記溝内の上記高比重泥土を一方から他方に向って排出しながら上記溝を上流側と下流側に仕切る工程と、
上記高比重泥土が排出され仕切られた後の上記上流側の溝内に低比重安定液を供給する工程と、
上記高比重泥土が排出され仕切られた後の上記上流側の溝の両端面を仕切板によって仕切り、上記上流側の両側壁に溝壁防護板を配設する工程と、
上記低比重安定液を供給した掘削溝部分にコンクリートを打設する工程と、
上記下流側の溝に向って上記溝壁防護板を上記溝壁防護板の長さの範囲で移動せしめる工程と
より成ることを特徴とする地下連続壁築造方法。
【請求項３】
外側板と、この外側板の内面に長さ方向に離間して設けた複数の内向鋸歯状部分と、上記外側板に対向して配置される内側板と、この内側板の外面に設けた上記内向鋸歯状部分に対応して位置した外向鋸歯状部分とより成り、上記内向鋸歯状部分の一端側が垂直面であり、他端側が斜面であり、上記外向鋸歯状部分の一端側が斜面であり、他端側が垂直面であることを特徴とする溝壁防護板。
【請求項４】
外側板と、この外側板の内面に長さ方向に離間して設けた複数の山形状突出部分と、上記外側板に対向して配置される内側板と、この内側板の外面に設けた上記山形状突出部分に対応して位置した山形状突出部分とより成ることを特徴とする溝壁防護板。
【請求項５】
外側板と、この外側板の内面に長さ方向に離間して設けた複数の半円弧状突出部分と、上記外側板に対向して配置される内側板と、この内側板の外面に設けた上記半円弧状突出部分に対応して位置した半円弧状突出部分とより成ることを特徴とする溝壁防護板。
【発明の詳細な説明】
【０００１】
本発明は、地下連続壁築造方法及びこの方法を実施するために用いる山留用型枠に関するものである。
【０００２】
【従来の技術】
連壁の従来施工法においては、地盤１に図１１に示すように通常７〜１０ｍの大きい幅Ｂの地中壁（１エレメント）を築造しようとする場合、掘削溝１７内に低比重安定液を入れて溝壁を安定させながら連壁掘削機で溝堀りする。この際１回で掘削できる掘削幅（１ガット）はｂで、１エレメントの幅Ｂを掘削するには、数ガットの掘削を繰り返す。１エレメント分の溝掘り完了後、スライム処理をして、鉄筋を建て込みコンクリートを打設して壁を築造する。
【０００３】
然しながら、これら一連の作業の中で連壁掘削機による溝掘り作業は、１エレメント当り数ガットに分けて掘削するので、掘削作業に多大な労力と時間がかかる。また、このような掘削作業は工程的に不確定さを多く含むため、連壁築造作業全体の能率を向上させることができなかった。
【０００４】
このため、ソイルセメント連続壁工法の溝掘機械の一方法としてチェーンソー型カッター装置が開発されている。この方法では、チェーンソー型カッターによって掘削された溝に高比重泥土を満たし、この泥土中にセメントなどの固化材を添加し、芯材を建て込んで、ソイルセメント壁を築造するものである。
【０００５】
この方法によれば、溝状掘削を連続的に、かつ高速度で行なうことができる。また掘削溝壁は高比重の泥土によって押さえられて安定しているため、連続的に掘り置きできる。堀り置きできる溝長は飛躍的に改善されて、数１０ｍから土質によっては無限長にまで広げることが可能となる。
【０００６】
【発明が解決しようとする課題】
従来の鉄筋コンクリート壁の地下連続壁築造方法の場合には、１回当りの溝掘削長さ（１エレメント）は１０ｍ程度で、掘削，鉄筋建込，コンクリート打設という一連の工程を繰り返しながら工事が行われるため、各工程に使用する機械の利用率が悪く、機械の入れ替え作業にも時間を必要とした。また、ソイルセメント地中連続壁築造方法においては、チェーンソー型カッター装置等を使用して溝を連続的に掘削することができる利点はあるが、掘削溝中は高比重泥土で満たされるため、そのままでは溝内に鉄筋を挿入したり、コンクリートを打設することはできず、品質の信頼性が高いコンクリート壁を築造することは不可能であった。
【０００７】
また、ソイルセメント連続壁工法は、地山の土と固化材とを攪拌混練りする事で地山の安定とソイル壁の築造を行う工法であり、掘削溝内の泥土の比重が高いことから地山の安定に対して優れている工法であるが、地山と固化材とのソイルセメント壁であることから、強度にばらつきがあり、また壁面に凹凸ができ壁厚が不均一であり、更に、壁面の鉛直精度が悪いため低強度の壁となる。
【０００８】
本発明は上記の欠点を除くようにしたものである。
【０００９】
【課題を解決するための手段】
本発明の地下連続壁築造方法は、連壁掘削機により安定液を注入しながら地盤を一方から他方に掘削して溝を形成し、上記溝内に高比重泥土を形成する工程と、仕切兼押出装置によって上記溝内の上記高比重泥土を一方から他方に向って押し出しながら上記溝を上流側と下流側に仕切る工程と、上記高比重泥土が押し出され仕切られた後の上記上流側の溝内に低比重安定液を供給する工程と、上記高比重泥土が押し出し仕切られた後の上記上流側の溝の両端面を仕切板によって仕切り、上記上流側の両側壁に溝壁防護板を配設する工程と、上記低比重安定液を供給した掘削溝部分にコンクリートを打設する工程と、上記下流側の溝に向って上記溝壁防護板を上記溝壁防護板の長さの範囲で移動せしめる工程とより成ることを特徴とする。
【００１０】
また、本発明の地下連続壁築造方法は、連壁掘削機により安定液を注入しながら地盤を一方から他方に掘削して溝を形成し、上記溝内に高比重泥土を形成する工程と、仕切兼泥土排出装置によって上記溝内の上記高比重泥土を一方から他方に向って排出しながら上記溝を上流側と下流側に仕切る工程と、上記高比重泥土が排出され仕切られた後の上記上流側の溝内に低比重安定液を供給する工程と、上記高比重泥土が排出され仕切られた後の上記上流側の溝の両端面を仕切板によって仕切り、上記上流側の両側壁に溝壁防護板を配設する工程と、上記低比重安定液を供給した掘削溝部分にコンクリートを打設する工程と、上記下流側の溝に向って上記溝壁防護板を上記溝壁防護板の長さの範囲で移動せしめる工程とより成ることを特徴とする。
【００１５】
本発明の溝壁防護板は、外側板と、この外側板の内面に長さ方向に離間して設けた複数の半円弧状突出部分と、上記外側板に対向して配置される内側板と、この内側板の外面に設けた上記内向鋸歯状部分に対応して位置した外向鋸歯状部分とより成り、上記内向鋸歯状部分の一端側が垂直面であり、他端側が斜面であり、上記外向鋸歯状部分の一端側が斜面であり、他端側が垂直面であることを特徴とする。
【００１６】
本発明の溝壁防護板は、外側板と、この外側板の内面に長さ方向に離間して設けた複数の山形状突出部分と、上記外側板に対向して配置される内側板と、この内側板の外面に設けた上記山形状突出部分に対応して位置した山形状突出部分とより成ることを特徴とする。
【００１７】
また、本発明の溝壁防護板は、外側板と、この外側板の内面に長さ方向に離間して設けた複数の半円弧状突出部分と、上記外側板に対向して配置される内側板と、この内側板の外面に設けた上記半円弧状突出部分に対応して位置した半円弧状突出部分とより成ることを特徴とする。
【００１８】
【発明の実施の形態】
以下図面によって本発明の実施例を説明する。
【００１９】
本発明においては図１に示すように、連壁掘削機（図示せず）により地盤１に溝２を安定液を注入しながら矢印の方向に掘削し、溝２内に高比重泥土を形成せしめ、上記連壁掘削機の背後から仕切兼泥土排出装置３を掘削溝２内に沈設して同じく矢印方向に上記溝２内の高比重泥土を排出しながら進行せしめ、高比重泥土を排出後の溝２を仕切板（図示せず）によって仕切り、高比重泥土が排出しながら仕切られた溝４内に水等の低比重安定液を供給し、この仕切溝４の所望の区域の両端を連壁仕切板５、６によって仕切り、この仕切られた溝４部分の両壁には必要に応じて溝壁防護板７を配設し、上記仕切板５、６と溝壁防護板７によって囲まれた区域に鉄筋篭８を入れ、図２に示すようにコンクリート９を打設する。
【００２０】
次いで例えば多段ジャッキ等より成る推進手段１０のジャッキを伸長して図３に示すように打設されたコンクリート９に反力をとり上記仕切兼泥土排出装置３を上記矢印の方向に押出しながら上記高比重泥土を排出し、且つ上記仕切兼泥土排出装置によって仕切られた溝４内に、低比重安定液を注入しながら上記溝壁防護板７と共に移動せしめ、打設されたコンクリート９と地山間に上記溝壁防護板７を引き抜いた後に形成される隙間に裏込めモルタル１１を注入し、上記溝壁防護板７が上記打設されたコンクリート９から離脱した状態で上記推進手段１０のジャッキを縮少し、以下図１，図２の工程を繰り返すようにする。
【００２１】
上記仕切兼泥土排出装置３は、例えば前面に高比重泥土を取り込む取込口を有し、後面に仕切手段を有する高比重泥土仕切兼排出手段とにより構成する。
【００２２】
なお、上記推進手段１０の多段ジャッキを仕切兼泥土排出装置３内に収納できない場合には、図４に示すように仕切兼泥土排出装置３からその進行方向にジャッキ収納筒１２を張り出し、ジャッキの一部を収納できるようにしても良い。
【００２３】
また、上記仕切溝４の溝壁が低比重安定液だけで崩壊せずに地山が安定する地盤であれば、溝壁防護板７は不要であるが、地山が軟弱で低比重安定液だけでは地山が安定しない場合には、溝壁防護板７を使用して、溝壁の補強をし、地盤改良等を省略することができる。
【００２４】
上記溝壁防護板７は、例えば図５に示すように外側板１３と、この外側板１３の内面に長さ方向に離間して設けた複数の内向鋸歯状部分１４と、上記外側板１３に対向して配置される内側板１５と、この内側板１５の外面に設けた上記内向鋸歯状部分１４に対応して位置した外向鋸歯状部分１６とより成り、上記内向鋸歯状部分１４の一端側が垂直面であり、他端側が斜面であり、上記外向鋸歯状部分１６の一端側が斜面であり、他端側が垂直面である。
【００２５】
なお、上記コンクリート打設時には図５に示すように内向鋸歯状部分１４の斜面と外向鋸歯状部分１６の斜面とが係合し、従って外側板１３と内側板１５間の間隔１８が最大となるようにする。
【００２６】
上記溝壁防護板７を引き抜く場合には上記外側板１３に相対的に上記内側板１５を上記進行方向にづらして図６に示すように上記内向及び外向鋸歯状部分１４，１６の垂直面が互に係合される状態ならしめ、この状態では外側板１３と内側板１５間の間隔１８が最小となり、上記溝壁防護板７の引抜きが容易となるようにする。
【００２７】
本発明の他の実施例においては、図７に示すように鋸歯状部分１４，１６の代りに山形状突出部分１９，２０としても良く、また、図８に示すように半円弧状突出部分２１，２２としても良い。
【００２８】
なお、この実施例において上記溝壁防護板７を引き抜く場合には上記外側板１３に相対的に上記内側板１５を上記進行方向にづらせば図９または図１０に示すように外側板１３と内側板１５間の間隔１８が最小となり、上記外側板１３と内側板１５を同時に引っ張れば、上記溝壁防護板７が容易に引抜かれるようにする。
【００２９】
更に、本発明においては、上記仕切兼泥土排出装置３を用いる代わりに、例えば前面に高比重泥土を押し出す押出手段を有し、後面に仕切手段を有する高比重泥土仕切兼押出手段を用い、高比重泥土を押し出しながら、押し出された高比重泥土を所望の排出手段によって排出せしめるようにしても良い。
【００３０】
【発明の効果】
本発明の地下連続壁築造方法は、上記の通りであるから以下のような効果が得られる。
【００３１】
▲１▼掘削が連続的にできるので、掘削スピードが速く工費も大幅にダウンできる。
【００３２】
▲２▼仕切兼泥土排出または押出装置は常時溝中に没したままとなるため重心が低く作業の安全性が高い。
【００３３】
▲３▼機械損料が高価な掘削機を手待ちなく連続的に使用できるので、工期の短縮とコストダウンが図れる。
【００３４】
▲４▼地盤が軟弱で自立性に乏しい場合には溝壁防護板を用いるので、地盤改良等の補助工法を必要とせず、工期短縮とコストダウンが図れる。
【図面の簡単な説明】
【図１】本発明の地下連続壁築造方法の説明用平面図である。
【図２】本発明の地下連続壁築造方法の説明用平面図である。
【図３】本発明の地下連続壁築造方法の説明用平面図である。
【図４】本発明の地下連続壁築造方法において用いる仕切兼泥土排出装置の他の実施例の平面図である。
【図５】本発明の地下連続壁築造方法において用いる溝壁防護板の説明用平面図である。
【図６】本発明の地下連続壁築造方法において用いる溝壁防護板の説明用平面図である。
【図７】本発明の地下連続壁築造方法において用いる溝壁防護板の他の実施例の説明用平面図である。
【図８】本発明の地下連続壁築造方法において用いる溝壁防護板の他の実施例の説明用平面図である。
【図９】本発明の地下連続壁築造方法において用いる溝壁防護板の他の実施例の説明用平面図である。
【図１０】本発明の地下連続壁築造方法において用いる溝壁防護板の他の実施例の説明用平面図である。
【図１１】従来の地下連続壁築造方法の説明図である。
【符号の説明】
１  地盤
２  溝
３  仕切兼泥土排出装置
４  低比重安定液の満たされた溝
５  新築造連続地中壁の仕切板
６  既築造連続地中壁の仕切板
７  溝壁防護板
８  鉄筋篭
９  コンクリート
１０  推進手段
１１  裏込めモルタル
１２  ジャッキ収納筒
１３  溝壁防護板の外側板
１４  内向鋸歯状部分
１５  溝壁防護板の内側板
１６  外向鋸歯状部分
１７  掘削溝
１８  溝壁防護板の間隔
１９  山形状突出部分
２０  山形状突出部分
２１  半円弧状突出部分
２２  半円弧状突出部分
【図１】
0003561869.tif 000002
【図２】
0003561869.tif 000003
【図３】
0003561869.tif 000004
【図４】
0003561869.tif 000005
【図５】
0003561869.tif 000006
【図６】
0003561869.tif 000007
【図７】
0003561869.tif 000008
【図８】
0003561869.tif 000009
【図９】
0003561869.tif 000010
【図１０】
0003561869.tif 000011
【図１１】
0003561869.tif 000012